(57)【要約】  メッセージングシステムは、携帯電話機（１０）、発信メッセージ記憶部（３０）、着信メッセージ記憶部（３２）、及びユーザにより動作可能で発信メッセージ記憶部及び着信メッセージ記憶部を制御する制御手段（２６）からなる。
2010521853.tif 000002
【特許請求の範囲】
【請求項１】
携帯電話機、ローカルの発信メッセージ記憶部、ローカルの着信メッセージ記憶部、及びユーザにより動作可能で前記発信メッセージ記憶部及び着信メッセージ記憶部を制御する制御手段からなるメッセージングシステム。
【請求項２】
前記制御手段はワイヤレス通信システムを使用して前記携帯電話機と通信する請求項１に記載のシステム。
【請求項３】
マイクロフォンをさらに有し、これにより音声信号を入力することができ、前記制御手段は前記マイクロフォンから入力される音声信号をミュートする手段を有する請求項１又は２に記載のシステム。
【請求項４】
前記音声信号手段が前記制御手段によりミュートされたか否かを判断するユーザ動作可能な手段をさらに有する請求項３に記載のシステム。
【請求項５】
前記制御手段はイアピースに組み込まれている請求項１から４のいずれかに記載のシステム。
【請求項６】
前記イアピースはスピーカを有し、前記制御手段は音声信号が前記スピーカによってミュートされたか否かを制御するように動作可能である請求項５に記載のシステム。
【請求項７】
前記制御手段が前記スピーカから音声信号手段の放出を許容したか否かを判断するユーザ動作可能な手段をさらに有する請求項６に記載のシステム。
【請求項８】
前記イアピースは携帯電話機の少なくとも幾つかの機能のハンズフリー動作を許容するハンズフリー装置を有する請求項５から７のいずれかに記載のシステム。
【請求項９】
前記イアピースは眼鏡及び/又はサングラスのテンプルに取り付け可能である請求項５から８のいずれかに記載のシステム。
【請求項１０】
請求項１から９のいずれかに記載のメッセージングシステムを形成する発信メッセージ記憶部、着信メッセージ記憶部、及び携帯電話機とともに使用する制御手段とからなる組合せ。
【発明の詳細な説明】
【技術分野】
【０００１】
本発明はメッセージングシステム、特に携帯電話とブルートゥースイヤピースのような関連器具とともに使用するように意図された音声メッセージングシステムに関する。
【背景技術】
【０００２】
携帯電話サービスの多くのサービスプロバイダは、顧客に音声メッセージングサービスを提供しており、これにより、顧客が着信電話呼出しに出ることができず、またはその電話呼出しに出たくないときに、発信メッセージが電話ネットワークシステム（プロバイダ）により発呼者に送信され、発呼者はメッセージを録音するオプションが与えられる。その後、顧客はアクセスして録音されたメッセージを聞くことができる。このようなサービスは十分に作動するが、多くのサービスプロバイダはそのサービスの提供に対して顧客に請求する結果、顧客はメッセージを聴取しないことを選択するか、受け取るサービスに不満を抱くようになることがある。ここ数年よく抱かれるようになっている不満は、発呼者は１日の作動時間内で、話している間だけ、メッセージを残すことができ、また受信者はこのメッセージは２４時間以上聴取できるという通知を受け取れないことである。この潜在的に悲惨な遅れの結果は、ビジネスの喪失、約束の見落としなど、容易に想像することができ、送信者はサービスプロバイダに残されてからメッセージが「妥当な」時間内で受け取られると信じるため、生命が危険にさらされた多くの状況が統計的に既に存在する。さらに、顧客は着信をふるいにかける（screen）ことを望むが、これは発呼がメッセージングサービスに配信されると不可能である。
【発明の概要】
【０００３】
本発明によると、携帯電話機、発信メッセージ記憶部、着信メッセージ記憶部、及びユーザにより動作可能で発信メッセージ記憶部及び着信メッセージ記憶部を制御する制御手段からなるメッセージングシステムが提供されている。
【０００４】
メッセージングシステムの構成部品は共通のハウジングに収容され単一のユニットを形成してもよい。代案として、幾つかの構成要素部品は別個のハウジングに収容され、ワイヤレス通信又は適切な電気接続によりお互いに通信してもよい。例えば、幾つかの構成要素部品はイアピース（earpiece）型ハウジングの上又は内部に装着されてもよい。イアピース型ハウジングは他の装置、例えば可聴（audio enabled）サングラスとともに使用するように設計されてもよい。代案として、イアピース型ハウジングは、ワイヤレス例えばブルートゥース、通信リンクを介して携帯電話機と通信するように配置されたハンズフリー型装置を有していてもよい。
【０００５】
制御手段は、マイクロフォンからの入力音声信号がミュート（mute）され、よびをふるいにかけることができるように動作可能であることが好ましい。好ましくは、ユーザは装置を制御して、入力音声信号がミュートされたか否かを判断し、これにより携帯電話会話を通常の方法で行うことができる。
【０００６】
本発明は、メッセージがローカル（locally）に記憶されるので、遠隔的な記憶システムにダイアルインするかアクセスする必要性がないという利点を有する。これにより、不都合やそれにかかるコストを回避することができる。さらに、メッセージが本発明によるシステムに残されるので、最も「リーズナブル」な状態で、「リーズナブル」な時間に、受信機により取り出すことができ、これはサービスプロバイダに記憶されたメッセージではありえない。
【図面の簡単な説明】
【０００７】
【図１】本発明の実施形態によるメッセージングシステムを示す図である。
【図２】図１のシステムの一部を示すブロック図である。
【図３】代案の実施形態を示す。
【発明を実施するための形態】
【０００８】
添付の図面を参照して実施形態により本発明をさらに説明する。
【０００９】
添付図面の図１及び２に示すメッセージングシステムは、携帯電話サービスプロバイダのサービスと携帯電話通信ネットワークを通常の方法で使用して、携帯電話呼出しを送信し受信することができる実質的に従来の携帯電話機１０を有する。携帯電話機１０には、無線通信システムを介して携帯電話１０を他の装置と通信することができる送受信装置１２が接続されている。この別個の送受信装置１２は図１に示されているが、この装置は携帯電話機１０に組み込むことができるし、携帯電話機１０の通常の機能の一部を構成してもよい。例えば、ブルートゥース型の通信装置の形をとることができるが、他の多くの装置も想定することができる。
【００１０】
メッセージングシステムは、さらに、スピーカ１８を支持するハウジング１６の形態のイヤピース１４を有し、該イヤピースはユーザの耳の近傍又はその中に配置するように適合されている。ハウジング１６は、眼鏡又はサングラス２２のテンプル２０に装着されるように適合されている。
【００１１】
ハウジング１６は、携帯電話機１０に装着され又は関連付けされた装置１２と通信するように適合された送受信装置２４を収容している。送受信装置２４は、制御ユニット２６に接続され、該制御ユニット２６はスピーカ１８に接続されている。制御ユニット２６はさらにマイクロフォン２８に接続されている。
【００１２】
メッセージングシステムの１つの動作モードでは、ユーザはハンズフリーで携帯電話呼出しを送信し受信することができる。この動作モードでは、マイクロフォン２８からの音声信号は、制御ユニット２６、送受信装置２４、及び送受信装置１２を通って、携帯電話機１０に送信され、該携帯電話機１０から通常の方法で携帯電話通信ネットワークに送信される。携帯電話機１０により携帯電話機通信ネットワークから受信した信号は、送受信装置１２により送信され、送受信装置２４により受信されて、該送受信装置２４から制御ユニット２６を介してスピーカ１８に送信される。
【００１３】
ユーザがハンズフリーで携帯電話呼出しを送信し受信することができることに加えて、メッセージングシステムは、さらにローカルメッセージングサービスを提供する。これのために、メッセージングシステムは、さらに発信メッセージ記憶部３０と着信メッセージ記憶部３２を有し、これらは制御ユニット２６に接続されている。アクチュエータ３４がさらに設けられ、制御ユニット２６に接続され、ユーザはメッセージングシステムの動作を制御することができる。
【００１４】
使用時、携帯電話呼出しを受信すると、ユーザは望むならば１つの適当なアクチュエータ３４を押して、制御ユニット２６に、発信メッセージ記憶部３０に記憶された発信メッセージを再生することにより着信呼に応答するように指示し、このメッセージが発呼者に送信されるようにしてもよい。この動作モードの間、マイクロフォン２８は、発信メッセージ記憶部３０からの発信メッセージのみが発呼者に聞かれるように、ミュートされてもよい。発信メッセージは、発呼者にメッセージを残す機会を与え、これにより発信メッセージ記憶部３０からの発信メッセージの送信終了時に、制御ユニット２６は発呼者からの着信音声信号を着信メッセージ記憶部３２に記憶するようにメッセージングシステムを制御する。このメッセージングシステムの動作の段階の間、マイクロフォン２８はミュートされ続ける。しかしながら、もし望まれるなら、受信信号は依然としてスピーカ１８により送信し、発呼者の身元又は発呼者が呼び出している目的を聞いた後、ユーザにメッセージングシステムを無効（override）にして、着信呼を受けるようにしてもよい。発呼者がこのように応答された呼びを受諾したい場合には、適当な１つのアクチュエータ３４を押して、制御ユニット２６に着信メッセージ記憶部３２への着信呼データの記憶を終了し、マイクロフォン２８をオンして、ユーザから発呼者へ音声信号を送信するように指示してもよい。電話呼出しは通常の方法で継続することができる。代案として、ユーザが電話を取ることを望まない場合、他のアクチュエータ３４を押して、スピーカ１８をミュートし、マイクロフォン２８をミュートし続ける一方、発呼者にメッセージを着信メッセージ記憶部３２に記憶させてもよい。
【００１５】
ユーザが後で該ユーザのメッセージを取り出したいときは、適切な１つのアクチュエータ３４を作動して、制御ユニット２６に記憶されたメッセージを着信メッセージ記憶部３２からイヤピース１８に再生するよう指示する。続いて適切な１つのアクチュエータの作動は、１又は複数の記憶されたメッセージを消去するのに使用してもよい。
【００１６】
発信メッセージ記憶部に記憶された発信メッセージは、予め記憶された標準メッセージであってもよいし、代案としてユーザにより記憶されてもよい。
【００１７】
着信データ記憶部に記憶されたメッセージデータは、固定長さのパケット、例えば４秒の長さのパケットに記憶され、これにより着信データ記憶部のメモリ容量を有効な方法で使用することができる。
【００１８】
もし望まれるなら、メッセージングシステムは、例えばＭＰ３ファイルや他の記録音楽又はデータファイルをユーザに再生することもできる可聴サングラスに組み込み、又はそれとともに使用するように適合されてもよい。
【００１９】
着信携帯電話呼出しの記憶を許容するだけでなく、メッセージングシステムは、ユーザにユーザ自身のメモ又は音声メッセージを記憶させるように動作することもできる。
【００２０】
眼鏡又はサングラスとともに使用するのに適するように記載され図示されているが、メッセージングシステムは広範囲の形態をとってもよく、もし要求されるなら、携帯電話機又は他の装置に組み込むこともできる。図３は、一つの代案の形態を概略的に示し、ここでは本装置は、可聴眼鏡とともに使用するように意図されるよりも、携帯電話機とともに使用するハンズフリー装置を形成している。装置の機能性は前述した通りである。このような装置では、ユーザが前に概説した種々の機能をナビゲートすることができるアクチュエータ３４が全て一つのジョグホィール装置又は他の制御装置に収容され、省スペースにしている。イヤピースはコンパクトなデザインにするためにかなり小さな寸法を有しているので、アクチュエータの数を最小化することが有利である。代案として、装置は完全に又は部分的に音声起動し、運転中などに使用するために完全なハンズフリー動作を達成してもよい。さらに、ブルートゥースイヤピースの場合、装置が充電ドッキングステーションに戻されると、記憶メッセージがドッキングステーション内のより大きなメモリ記憶装置に自動的にダウンロードされてもよい。この記憶装置は、多くの時間のメッセージを記憶するために十分に大きな容量を有していてもよいし、ドッキングステーションの簡単なＬＣＤウィンドウを介して参照と検索を容易にするために、自動的に一覧（catalogue）を作ってもよい。
【００２１】
本発明によるメッセージングシステムは、音声メッセージが遠隔的というよりも局地的に記憶されるので、携帯電話通信ネットワークにより動作されるシステムにダイヤルインすることなくアクセスすることができることにおいて有利である。この結果、メッセージは都合よく、実質的に瞬時にしかもユーザにコストをかけることなく再生することができる。さらに、本システムは、ユーザが着信呼をふるいにかけて、望まれるなら特定の個人からの着信又は特定の目的に関する着信のみに応答できるように動作してもよい。
【００２２】
本発明の範囲から逸脱することなく、前述した装置の広範囲な修正や変更が可能であることは理解できるであろう。
【符号の説明】
【００２３】
１０  携帯電話機
１２  送受信装置
１４  イヤピース
１６  ハウジング
１８  スピーカ
２０  テンプル
２２  眼鏡又はサングラス
２４  送受信装置
２６  制御ユニット
２８  マイクロフォン
３０  発信メッセージ記憶部
３２  着信メッセージ記憶部
３４  アクチュエータ
【図１】
2010521853.tif 000003
【図２】
2010521853.tif 000004
【図３】
2010521853.tif 000005
【国際調査報告】
2010521853.tif 000006
2010521853.tif 000007